(57)【要約】【課題】シャッターボックスのサイズを小さく抑えつつも施工性に優れた電動シャッターを提供する。【解決手段】建物に取り付けられるシャッター枠と、前記シャッター枠に取り付けられるシャッターボックスと、前記シャッターボックスよりも前記建物側に設けられた壁部材と、を有し、前記壁部材は、前記シャッターボックスから出ているケーブルが収容されるケーブル収容部を有する。【選択図】図５
2020045627.tif 000002
【特許請求の範囲】
【請求項１】
建物に取り付けられるシャッター枠と、
前記シャッター枠に取り付けられるシャッターボックスと、
前記シャッターボックスよりも前記建物側に設けられた壁部材と、
を有し、
前記壁部材は、前記シャッターボックスから出ているケーブルが収容されるケーブル収容部を有することを特徴とする電動シャッター。
【請求項２】
請求項１に記載の電動シャッターであって、
前記ケーブル収容部は、下方に窪む溝状をなす凹部であることを特徴とする電動シャッター。
【請求項３】
請求項１又は請求項２に記載の電動シャッターであって、
前記ケーブル収容部は、
前記シャッターボックスよりも前記建物側に設けられる壁本体部と、
前記壁本体部と見込み方向に間隔を空けて対向する対向壁部と、
前記壁本体部と前記対向壁部とを連結する連結部と、
を有していることを特徴とする電動シャッター。
【請求項４】
請求項３に記載の電動シャッターであって、
前記壁本体部または前記対向壁部は、
前記連結部の上方に間隔を空けて設けられ互いに対向する側に突出する突部を有していることを特徴とする電動シャッター。
【請求項５】
請求項１乃至請求項４のいずれかに記載の電動シャッターであって、
前記シャッターボックスは、前記建物に設けられた建具と見込み方向において重なる位置に配置されており、
前記壁部材は、前記シャッターボックスと、前記建具との隔壁をなしていることを特徴とする電動シャッター。
【発明の詳細な説明】
【技術分野】
【０００１】
本発明は、電動シャッターに関する。
【背景技術】
【０００２】
従来、電動シャッターとして、たとえば、窓を覆うための多数のスラットの巻き取り及び送り出しを行う電動機を備えたシャッター本体がシャッターケースの内部に収納された電動式のシャッターは知られている（例えば、特許文献１参照）。このシャッターは、ドラムに巻き付けられているスラットの建物側を塞ぐ仕切板が、シャッターケース内に設けられており、仕切板とシャッターケースの建物側の端縁との間に、仕切板よりも外部に出た電線を収納する空間が設けられている。また、仕切板には、電線を収納する空間側に、仕切板よりも外部に出た電線を含む電線を二つ折りにして掛止する掛止部材が設けられている。
【先行技術文献】
【特許文献】
【０００３】
【特許文献１】特開２０００−１９２７５７号公報
【発明の概要】
【発明が解決しようとする課題】
【０００４】
上記従来の電動シャッターは、仕切板よりも外部に出た電線を含む電線を二つ折りにして、仕切板の係止部材に掛止して収納する空間が、シャッターケース内に設けられているので、シャッター本体を備えたシャッターケース（シャッターボックス）が大きくなってしまう。また、電線を収容する空間及び掛止部材を備えていない場合には、シャッターケースから外部に出ている余剰な電線が、シャッターボックスが取り付けられる位置に弛んで露出するため、シャッターボックスを取り付ける際に電線を誤って挟み込んでしまう虞があり、施工性が悪いという課題がある。
【０００５】
本発明は、かかる課題に鑑みてなされたものであり、その目的とするところは、シャッターボックスのサイズを小さく抑えつつも施工性に優れた電動シャッターを提供することにある。
【課題を解決するための手段】
【０００６】
かかる目的を達成するために本発明の電動シャッターは、建物に取り付けられるシャッター枠と、前記シャッター枠に取り付けられるシャッターボックスと、前記シャッターボックスよりも前記建物側に設けられた壁部材と、を有し、前記壁部材は、前記シャッターボックスから出ているケーブルが収容されるケーブル収容部を有することを特徴とする電動シャッターである。
本発明の他の特徴については、本明細書及び添付図面の記載により明らかにする。
【発明の効果】
【０００７】
本発明によれば、シャッターボックスのサイズを小さく抑えつつも施工性に優れた電動シャッターを提供することが可能である。
【図面の簡単な説明】
【０００８】
【図１】本実施形態に係る電動シャッターの縦断面図である。
【図２】本実施形態に係る電動シャッターの斜視図である。
【図３】下地材の構成と壁部材を示す分解斜視図である。
【図４】シャッターボックス内のケーブルを示す図である。
【図５】図１におけるＡ部の拡大図である。
【図６】シャッターボックスを備えたシャッター枠を下地材に取り付ける際のケーブルの状態を示す斜視図である。
【発明を実施するための形態】
【０００９】
以下、本発明の一実施形態に係る電動シャッターについて図面を参照して説明する。
本実施形態の電動シャッター１は、図１に示すように、例えば引き違い障子２ａを備えた建具２が取り付けられている建物１０の外壁１０ａより屋外側に突出させて設けられている。
【００１０】
以下の説明においては、建物等に取り付けられている電動シャッター１を屋外側から見たときに、上下となる方向を上下方向、左右となる方向を左右方向、屋内外方向を見込み方向として示す。電動シャッター１の各部位であっても、また、電動シャッター１を構成する各部材については単体の状態であっても、電動シャッター１が取り付けられている状態にて上下方向、左右方向、見込み方向にて方向を特定して説明する。
【００１１】
本実施形態の電動シャッター１は、図１、図２に示すように、建物１０に取り付けられる下地材３と、下地材３に取り付けられるシャッター枠４と、シャッター枠４内における上端側の部位に収容され、巻回されたシャッターカーテン５１が収容されるシャッターボックス５と、シャッターボックス５よりも建物側に設けられる壁部材６と、シャッター枠４に収容されたシャッターボックス５の屋外側に突出する部位の側部を覆うサイドキャップ７と、シャッター枠４に収容されたシャッターボックス５の屋外側を覆うカバー部材８と、シャッター枠４に取り付けられてシャッターカーテン５１を案内するガイドレール９と、を有している。
【００１２】
下地材３は、建具２の枠体２０が有する上下の横枠２１及び左右の縦枠(不図示)の各々外側に囲むように配置され、上側下地材３１、下側下地材３２、左右の縦下地材３３が矩形状に接合されている。上側下地材３１、下側下地材３２、左右の縦下地材３３は、図３に示すように、いずれも長手方向に貫通する中空部３１ａ、３２ａ、３３ａを有しており、上側下地材３１及び下側下地材３２の左右の小口が、左右に配置される縦下地材３３の互いに対向する見込み面との間にシール材３４を介して接合されている。
【００１３】
建物躯体（不図示）に固定された下地材３は、上側下地材３１、下側下地材３２、左右の縦下地材３３における屋外側の見付け面３１ｂ、３２ｂ、３３ｂが、建物１０の外壁１０ａより突出して設けられている建具２の屋外側の端部２ｂよりも屋外側に位置している。本実施形態の電動シャッター１は、シャッターボックス５が、外壁１０ａから屋外側に突出している建具２と見込み方向に重なる位置に配置されるため、シャッターボックス５が建具２と干渉しないように、建物１０とシャッター枠４との間に下地材３が介在されている。
【００１４】
シャッター枠４は、左右一対のシャッター縦枠４１と、一対のシャッター縦枠４１の上端に架け渡されたルーフ板４２と、一対のシャッター縦枠４１間に架け渡されルーフ板４２の下方に間隔を空けて設けられたシャッター上枠４３と、一対のシャッター縦枠４１の下端を繋ぐシャッター下枠４４と、シャッターボックス５を支持する左右一対の支持部材４５と、を有している。シャッターボックス５は、左右のシャッター縦枠４１、ルーフ板４２、及び、シャッター上枠４３、により形成される空間Ｓ内に収容される。
【００１５】
シャッターボックス５は、屋内外を仕切るシャッターカーテン５１と、シャッターカーテン５１が巻き付けられた巻付軸５２と、シャッターカーテン５１が巻き付けられた巻付軸５２を回動自在に支持して収容するケース体５３とを有している。巻付軸５２は軸方向が左右方向に沿わされて配置されている。
【００１６】
巻付軸５２には、図４に示すように、巻付軸５２を回動するためのモータ５４が接続されており、ケース体５３の屋内側のケース壁部５３ａに設けられたケーブル挿通孔５３ｂからは、モータ５４、及び、このモータ５４を制御するコントローラー(不図示)等に電力を供給するケーブル５５が屋内側に出ている。すなわち、ケーブル５５がシャッターボックス５から出ているケーブルに相当する。尚、ケーブル５５には信号線やアース線等が含まれていても構わない。本実施形態のケーブル挿通孔５３ｂにはグロメット５６が取り付けられており、また、ケーブル５５は、結束材５７によりケース体５３に固定されている。
【００１７】
壁部材６は、図３に示すように、下地材３の左右の縦下地材３３間に亘って設けられる押出成形部材である。本実施形態の壁部材６は、シャッターボックス５の屋内側であって、建具２の屋外側に位置している。すなわち、シャッターボックス５と建具２との間の隔壁をなしている。
【００１８】
壁部材６は、図５に示すように、シャッターボックス５の屋内側にてほぼ鉛直な面を形成する壁本体部６１と、壁本体部６１の下端から屋外側に延出された下端延出部６２と、下端延出部６２の屋外側の端部近傍から上方に延出されシャッター上枠４３を固定する固定部６３と、壁本体部６１の上下方向における中央より上部側にて屋外側に延出された中央延出部６４と、中央延出部６４の屋外側の端部近傍から上方に延出された上方延出部６５と、上方延出部６５に中央延出部６４の上方に間隔を空けて屋内側に突出された突部６６と、を有している。また、壁本体部６１と下端延出部６２及び中央延出部６４とがなす角部には、左右方向に進入するビスが螺合される螺合部６７が設けられている。
【００１９】
壁部材６は、壁本体部６１の上端が、上側下地材３１の下面に全長に亘って設けられている係合部３１ｃに係合された状態で、縦下地材３３に挿通されたビスが螺合部６７に螺合されて固定されている。
【００２０】
壁部材６の、壁本体部６１と、中央延出部６４と、上方延出部６５とは、上方が開放され左右方向に沿う溝状の凹部を形成しており、シャッターボックス５から出ているケーブル５５が収容されるケーブル収容部６ａをなしている。このため、壁本体部６１と上方延出部６５との間隔Ｌ１、上方延出部６５から突出された突部６６の先端と壁本体部６１との間隔Ｌ２、突部６６と中央延出部６４との間隔Ｌ３は、いずれもケーブル５５が挿通可能な幅を有している。ここで、上方延出部６５が、壁本体部６１と見込み方向に間隔を空けて対向する対向壁部に相当し、中央延出部６４が、壁本体部６１と対向壁部とを連結する連結部に相当する。
【００２１】
本実施形態においては、壁本体部６１と上方延出部６５の下端とが、ほぼ水平な中央延出部６４により連結されている例について説明したが、これに限るものではない。例えば、中央延出部と突部との間にケーブルを挿通可能な空間が確保できれば、中央延出部の位置は上方延出部の下端でなくとも構わず、また、中央延出部は水平でなくとも構わない。
【００２２】
下地材３に固定された壁部材６のケーブル収容部６ａの位置は、図６に示すように、縦下地材３３に設けられた中空部３３ａ内と連通する開孔３３ｃの位置と一致している。このため、シャッターボックス５から出ているケーブル５５は、収容されるケーブル収容部６ａ内を通されて縦下地材３３の開孔３３ｃから中空部３３ａ内に挿通されている。
【００２３】
ケーブル５５の先端は、例えば、縦下地材３３の中空部３３ａ内を挿通され、建物１０側に設けられている電源と接続しやすい位置にて縦下地材３３外に引き出されている。ケーブル収容部６ａに収容され縦下地材３３内に挿通されたケーブル５５は、シャッターボックス５側、または、縦下地材３３から出ている側を引っ張ることにより、引っ張られた側に移動して引き出すことが可能である。
【００２４】
本実施形態の電動シャッター１の施工方法は、例えば、まず、上側下地材３１、下側下地材３２、左右の縦下地材３３を矩形状に接合して壁部材６が取り付けられた下地材３を、建物１０に設けられている建具２を囲むように外壁１０ａに当接させて取り付ける。
【００２５】
また、左右のシャッター縦枠４１、ルーフ板４２、シャッター上枠４３、シャッター下枠４４を枠組みし、左右のシャッター縦枠４１には、シャッターボックス５を支持する左右一対の支持部材４５を取り付けておく。
【００２６】
次に、シャッター枠４を、建物１０に取り付けられた下地材３に近づけて対向させ、下地材３の屋外側の見付け面３１ｂ、３２ｂ、３３ｂにシャッター枠４を当接させて下地材３に固定する。
【００２７】
次に、シャッターボックス５を下地材３に固定されたシャッター枠４の左右のシャッター縦枠４１、ルーフ板４２、及び、シャッター上枠４３により形成される空間Ｓに近づけ、シャッターボックス５とシャッター枠４とが離れている状態で、ケーブル５５を縦下地材３３の開孔３３ｃに挿通させるとともに、壁部材６に設けられたケーブル収容部６ａ内の突部６６より下側に上方から挿入する。
【００２８】
次に、縦下地材３３から出ているケーブル５５の端部を引っ張りつつシャッターボックス５を、左右のシャッター縦枠４１、ルーフ板４２、及び、シャッター上枠４３により形成される空間Ｓに収納し、左右の支持部材４５にシャッターボックス５を固定する。
最後に、サイドキャップ７、ガイドレール９、カバー部材８を取り付けて電動シャッター１の施工が完了する。
【００２９】
本実施形態の電動シャッター１によれば、シャッターボックス５よりも建物１０側に設けられた壁部材６に、シャッターボックス５から出ているケーブル５５が収容されるケーブル収容部６ａが設けられているので、シャッターボックス５から出ているケーブル５５を、シャッターボックス５外に設けられている壁部材６のケーブル収容部６ａに収容することが可能である。このため、シャッターボックス５にケーブル５５を収容する収容部を設ける必要がないので、シャッターボックス５のサイズをより小さく抑えることが可能である。
【００３０】
また、シャッターボックス５よりも建物１０側に設けられている壁部材６にケーブル収容部６ａが設けられているので、シャッターボックス５が取り付けられる位置にケーブル５５が弛んで進入することを防止することが可能である。このため、シャッターボックス５を取り付ける際にケーブル５５を誤って挟む虞がないので、容易にシャッターボックス５を取り付けることが可能である。このため、シャッターボックス５のサイズを小さく抑えつつも施工性に優れた電動シャッター１を提供することが可能である。
【００３１】
また、ケーブル５５を収容するケーブル収容部６ａが下方に窪む溝状をなす凹部なので、ケーブル５５をケーブル収容部６ａに沿って上方から挿入することにより容易に収容することが可能である。
【００３２】
また、ケーブル収容部６ａが、シャッターボックス５よりも建物１０側に設けられる壁本体部６１と、壁本体部６１と見込み方向に間隔を空けて対向する上方延出部６５との間に設けられているので、ケーブル収容部６ａをより壁本体部６１側に設けることができる。このため、ケーブル収容部６ａを設けることにより壁本体部６１から張り出す張出量をより小さく抑えることが可能である。
【００３３】
また、ケーブル収容部６ａが、壁本体部６１と見込み方向に間隔を空けて対向する上方延出部６５を有しているので、ケーブル５５が弛みシャッターボックス５側に進入することを防止することが可能であり、ケーブル収容部６ａが、壁本体部６１と上方延出部６５の下端とをほぼ水平に連結する中央延出部６４を有しているので、ケーブル５５が弛み下方に垂れ下がることを防止することが可能である。
【００３４】
また、上方延出部６５に、中央延出部６４の上方に間隔を空けて、互いに対向する側に突出する突部６６が設けられているので、ケーブル収容部６ａに収容されたケーブル５５が上方に突出することを防止することが可能である。
【００３５】
また、壁部材６がシャッターボックス５と建具２との隔壁をなしているので、シャッターボックス５が建具２と見込み方向において重なる位置に配置されていても、ケーブル５５が建具２に接触することをより確実に防止することが可能である。
【００３６】
上記実施形態においては、ケーブル５５が上方に突出することを防止する突部６６が上方延出部６５に設けられている例について説明したが、突部は、壁本体部に設けられていても構わない。
【００３７】
上記実施形態においては、シャッターボックス５が建具２と干渉しないように、建物１０とシャッター枠４との間に下地材３が介在されている例について説明したが、これに限らず、建物から突出する建具以外の部材との干渉を避けるために下地材が介在されていても構わない。また、下地材は必ずしも設けられていなくともよい。例えば、ケーブル収容部を備えた壁部材が取り付けられたシャッター枠が、建物に直接取り付けられていても構わない。
【００３８】
上記実施形態においては、ケーブル収容部６ａが壁部材６の上下方向における中央より上部側に設けられている例について説明したが、これに限らず、シャッターボックスからケーブルが出ている位置に合わせてケーブル収容部が設けられていても構わない。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４０】
本実施形態には、少なくとも以下の発明が含まれる。
建物に取り付けられるシャッター枠と、前記シャッター枠に取り付けられるシャッターボックスと、前記シャッターボックスよりも前記建物側に設けられた壁部材と、を有し、前記壁部材は、前記シャッターボックスから出ているケーブルが収容されるケーブル収容部を有することを特徴とする電動シャッターである。
【００４１】
このような電動シャッターによれば、シャッターボックスよりも建物側に設けられた壁部材に、シャッターボックスから出ているケーブルが収容されるケーブル収容部が設けられているので、シャッターボックスから出ているケーブルを、シャッターボックス外に設けられている壁部材のケーブル収容部に収容することが可能である。このため、シャッターボックスにケーブルを収容する収容部を設ける必要がないので、シャッターボックスのサイズをより小さく抑えることが可能である。
【００４２】
また、シャッターボックスよりも建物側に設けられている壁部材にケーブル収容部が設けられているので、シャッターボックスが取り付けられる位置にケーブルが弛んで進入することを防止することが可能である。このため、シャッターボックスを取り付ける際にケーブルを挟む虞がないので、容易にシャッターボックスを取り付けることが可能である。このため、シャッターボックスのサイズを小さく抑えつつも施工性に優れた電動シャッターを提供することが可能である。
【００４３】
かかる電動シャッターであって、前記ケーブル収容部は、下方に窪む溝状をなす凹部であることを特徴とする。
このような電動シャッターによれば、ケーブルを収容するケーブル収容部が下方に窪む溝状をなす凹部なので、ケーブルをケーブル収容部に沿って上方から挿入することにより容易に収容することが可能である。
【００４４】
かかる電動シャッターであって、前記ケーブル収容部は、前記シャッターボックスよりも前記建物側に設けられる壁本体部と、前記壁本体部と見込み方向に間隔を空けて対向する対向壁部と、前記壁本体部と前記対向壁部とを連結する連結部と、を有していることを特徴とする。
【００４５】
このような電動シャッターによれば、ケーブルが収容される凹部が、シャッターボックスよりも建物側に設けられる壁本体部と、壁本体部と見込み方向に間隔を空けて対向する対向壁部との間に設けられているので、ケーブル収容部をより壁本体部側に設けることができる。このため、ケーブル収容部を設けることにより壁本体部から張り出す張出量をより小さく抑えることが可能である。また、凹部が、壁本体部と見込み方向に間隔を空けて対向する対向壁部を有しているので、ケーブルが弛みシャッターボックス側に進入することを防止することが可能であり、凹部が、壁本体部と対向壁部とを連結する連結部を有しているので、ケーブルが弛み下方に垂れ下がることを防止することが可能である。
【００４６】
かかる電動シャッターであって、前記壁本体部または前記対向壁部は、前記連結部の上方に間隔を空けて設けられ互いに対向する側に突出する突部を有していることを特徴とする。
【００４７】
このような電動シャッターによれば、壁本体部または対向壁部に、連結部の上方に間隔を空けて、互いに対向する側に突出する突部が設けられているので、ケーブル収容部に収容されたケーブルが上方に突出することを防止することが可能である。
【００４８】
かかる電動シャッターであって、前記シャッターボックスは、前記建物に設けられた建具と見込み方向において重なる位置に配置されており、前記壁部材は、前記シャッターボックスと、前記建具との隔壁をなしていることを特徴とする。
【００４９】
このような電動シャッターによれば、壁部材がシャッターボックスと建具との隔壁をなしているので、シャッターボックスが建具と見込み方向において重なる位置に配置されていても、ケーブルが建具に接触することをより確実に防止することが可能である。
【符号の説明】
【００５０】
１  電動シャッター、２  建具、３  下地材、４  シャッター枠、
５  シャッターボックス、６  壁部材、６ａ  ケーブル収容部、
１０  建物、５５  ケーブル、６１  壁本体部、６４  中央延出部、
６５  上方延出部、６６  突部、
【図１】
2020045627.tif 000003
【図２】
2020045627.tif 000004
【図３】
2020045627.tif 000005
【図４】
2020045627.tif 000006
【図５】
2020045627.tif 000007
【図６】
2020045627.tif 000008